(57)【要約】【課題】  Ｒａ値を高めることが可能な半導体発光装置およびその製造方法を提供すること。【解決手段】  半導体発光装置１００は、出力ピーク波長が４４０〜４８５ｎｍであるＬＥＤチップ２００と、ＬＥＤチップ２００からの光を受けるように配置され、ＬＥＤチップ２００からの光によって励起されることにより、ピーク波長が６４５ｎｍ以上である光を発する赤色蛍光体３１０およびピーク波長が５６５ｎｍ以下である光を発する緑色蛍光体３２０を含む蛍光体部３００と、を備えることにより白色光を発する。【選択図】  図１
2013004692.tif 000002
【特許請求の範囲】
【請求項１】
出力ピーク波長が４４０〜４８５ｎｍである半導体発光素子と、
上記半導体発光素子からの光を受けるように配置され、上記半導体発光素子からの光によって励起されることにより、ピーク波長が６５５ｎｍ以上である光を発する第１蛍光体およびピーク波長が５６５ｎｍ以下である光を発する第２蛍光体を含む蛍光体部と、
を備えることにより白色光を発することを特徴とする、半導体発光装置。
【請求項２】
上記第１蛍光体から発せられる光のピーク波長が７００ｎｍ以下であり、
上記第２蛍光体から発せられる光のピーク波長が５００ｎｍ以上である、請求項１に記載の半導体発光装置。
【請求項３】
上記第２蛍光体から発せられる光のピーク波長が５２５ｎｍ以下である、請求項２に記載の半導体発光装置。
【請求項４】
上記第１蛍光体と上記第２蛍光体の配合比が、上記第１蛍光体を１としたときに上記第２蛍光体が５．５〜７．０である、請求項３に記載の半導体発光装置。
【請求項５】
出力ピーク波長が４４０〜４８５ｎｍである半導体発光素子と、
上記半導体発光素子からの光を受けるように配置され、上記半導体発光素子からの光によって励起されることにより、ピーク波長が６２５ｎｍ以上である光を発する第１蛍光体およびピーク波長が５２０ｎｍ以下である光を発する第２蛍光体を含む蛍光体部と、
を備えることにより白色光を発することを特徴とする、半導体発光装置。
【請求項６】
上記第１蛍光体から発せられる光のピーク波長が７００ｎｍ以下であり、
上記第２蛍光体から発せられる光のピーク波長が５００ｎｍ以上である、請求項５に記載の半導体発光装置。
【請求項７】
上記第１蛍光体から発せられる光のピーク波長が６４５ｎｍ以上である、請求項６に記載の半導体発光装置。
【請求項８】
上記半導体発光素子の出力ピーク波長が４４５〜４６５ｎｍである、請求項７に記載の半導体発光装置。
【請求項９】
上記第１蛍光体と上記第２蛍光体の配合比が、上記第１蛍光体を１としたときに上記第２蛍光体が５．０〜６．５である、請求項８に記載の半導体発光装置。
【請求項１０】
出力ピーク波長が４４０〜４８５ｎｍである半導体発光素子と、
上記半導体発光素子からの光を受けるように配置され、上記半導体発光素子からの光によって励起されることにより、ピーク波長が６２５ｎｍ以上である光を発する第１蛍光体およびピーク波長が５６５ｎｍ以下である光を発する第２蛍光体を含む蛍光体部を含み、
上記第１蛍光体からの光および上記第２蛍光体からの光の互いのピーク波長の差が１２０ｎｍ以上である蛍光体部と、を備えることにより白色光を発することを特徴とする、半導体発光装置。
【請求項１１】
上記第１蛍光体から発せられる光のピーク波長が７００ｎｍ以下であり、
上記第２蛍光体から発せられる光のピーク波長が５００ｎｍ以上である、請求項１０に記載の半導体発光装置。
【請求項１２】
上記第１蛍光体と上記第２蛍光体の配合比が、上記第１蛍光体を１としたときに上記第２蛍光体が５．０〜７．５である、請求項１１に記載の半導体発光装置。
【請求項１３】
上記半導体発光素子の出力ピーク波長が、４４５〜４６５ｎｍである、請求項１２に記載の半導体発光装置。
【請求項１４】
出力ピーク波長が４４０〜４８５ｎｍである半導体発光素子と、
上記半導体発光素子からの光を受けるように配置され、上記半導体発光素子からの光によって励起されることにより、ピーク波長が６２５ｎｍ以上である光を発する第１蛍光体およびピーク波長が５６５ｎｍ以下である光を発する第２蛍光体を含む蛍光体部を含み、
上記第１蛍光体と上記第２蛍光体の配合比が、上記第１蛍光体を１としたときに上記第２蛍光体が６．８〜７．２である蛍光体部と、を備えることにより白色光を発することを特徴とする、半導体発光装置。
【請求項１５】
上記第１蛍光体から発せられる光のピーク波長が６４５ｎｍ以上である、請求項１４に記載の半導体発光装置。
【請求項１６】
上記第２蛍光体から発せられる光のピーク波長が５３０ｎｍ以下である、請求項１４に記載の半導体発光装置。
【請求項１７】
出力ピーク波長が４４０〜４８５ｎｍである半導体発光素子と、
上記半導体発光素子からの光を受けるように配置され、上記半導体発光素子からの光によって励起されることにより、ピーク波長が６４０〜６７５ｎｍである光を発する第１蛍光体およびピーク波長が５００〜５３５ｎｍである光を発する第２蛍光体を含む蛍光体部とを含み、
上記第１蛍光体と上記第２蛍光体の配合比が、上記第１蛍光体を１としたときに上記第２蛍光体が５．０〜７．５である蛍光体部を備えることにより白色光を発することを特徴とする、半導体発光装置。
【請求項１８】
上記半導体発光素子の出力ピーク波長が４４０〜４７０ｎｍであり、
上記第１蛍光体から発せられる光のピーク波長が６４０〜６５５ｎｍであり、
上記第２蛍光体から発せられる光のピーク波長が５２０〜５３０ｎｍであり、
上記第１蛍光体と上記第２蛍光体の配合比が、上記第１蛍光体を１としたときに上記第２蛍光体が６．５〜７．５である、請求項１７に記載の半導体発光装置。
【請求項１９】
上記半導体発光素子の出力ピーク波長が４４０〜４７０ｎｍであり、
上記第１蛍光体から発せられる光のピーク波長が６４５〜６５５ｎｍであり、
上記第１蛍光体と上記第２蛍光体の配合比が、上記第１蛍光体を１としたときに上記第２蛍光体が５．５〜７．５である、請求項１７に記載の半導体発光装置。
【請求項２０】
上記半導体発光素子の出力ピーク波長が４４０〜４７０ｎｍであり、
上記第２蛍光体から発せられる光のピーク波長が５２０〜５３０ｎｍであり、
上記第１蛍光体と上記第２蛍光体の配合比が、上記第１蛍光体を１としたときに上記第２蛍光体が５．５〜７．５である、請求項１７に記載の半導体発光装置。
【請求項２１】
上記半導体発光素子の出力ピーク波長が４４０〜４７０ｎｍであり、
上記第１蛍光体から発せられる光のピーク波長が６４５〜６５５ｎｍであり、
上記第２蛍光体から発せられる光のピーク波長が５２０〜５３０ｎｍである、請求項１７に記載の半導体発光装置。
【請求項２２】
上記蛍光体部においては、上記第１および第２蛍光体が均一に分布している、請求項１ないし２１のいずれかに記載の半導体発光装置。
【発明の詳細な説明】
【技術分野】
【０００１】
本発明は、白色光を発する半導体発光装置およびその製造方法に関する。
【背景技術】
【０００２】
ＬＥＤチップを内蔵した半導体発光装置は、様々な電子機器の光源として広く用いられており、白色光を発するタイプの半導体発光装置が使用されている（たとえば、特許文献１）。白色光を発するタイプの半導体発光装置は、たとえば、青色光を発するＬＥＤチップと、これを覆う蛍光部を備える。この蛍光部は、透光樹脂に蛍光材料が混入されている。蛍光材料の構成の一例としては、青色光によって励起されることにより赤色光を発する赤色蛍光材料と、青色光によって励起されることにより緑色光を発する緑色蛍光材料との双方を用いる構成が挙げられる。これらの青色光、赤色光、緑色光を混色させることにより、上記半導体発光装置から白色光が発せられる。
【０００３】
半導体発光装置の用途によっては、照らされる対象物が本来有する色合いが、如何に忠実に再現されるかが重要視される。この演色性は、ＪＩＳに定められた平均演色評価数（以下、Ｒａ値）を用いて評価されることが一般的である。青色光、赤色光、緑色光をただ単に混色させても、十分なＲａ値が得られるとは限らない。演色性が重要視される用途には、Ｒａ値ができる限り高い半導体発光装置が求められる。
【先行技術文献】
【特許文献】
【０００４】
【特許文献１】特開２０１０−１４７３１８号公報
【発明の概要】
【発明が解決しようとする課題】
【０００５】
本発明は、上記した事情のもとで考え出されたものであって、Ｒａ値を高めることが可能な半導体発光装置およびその製造方法を提供することをその課題とする。
【課題を解決するための手段】
【０００６】
本発明の第１の側面によって提供される半導体発光装置は、出力ピーク波長が４４０〜４８５ｎｍである半導体発光素子と、上記半導体発光素子からの光を受けるように配置され、上記半導体発光素子からの光によって励起されることにより、ピーク波長が６５５ｎｍ以上である光を発する第１蛍光体およびピーク波長が５６５ｎｍ以下である光を発する第２蛍光体を含む蛍光体部と、を備えることにより白色光を発することを特徴としている。
【０００７】
本発明の好ましい実施の形態においては、上記第１蛍光体から発せられる光のピーク波長が７００ｎｍ以下であり、上記第２蛍光体から発せられる光のピーク波長が５００ｎｍ以上である。
【０００８】
本発明の好ましい実施の形態においては、上記第２蛍光体から発せられる光のピーク波長が５２５ｎｍ以下である。
【０００９】
本発明の好ましい実施の形態においては、上記第１蛍光体と上記第２蛍光体の配合比が、上記第１蛍光体を１としたときに上記第２蛍光体が５．５〜７．０である。
【００１０】
本発明の第２の側面によって提供される半導体発光装置は、出力ピーク波長が４４０〜４８５ｎｍである半導体発光素子と、上記半導体発光素子からの光を受けるように配置され、上記半導体発光素子からの光によって励起されることにより、ピーク波長が６２５ｎｍ以上である光を発する第１蛍光体およびピーク波長が５２０ｎｍ以下である光を発する第２蛍光体を含む蛍光体部と、を備えることにより白色光を発することを特徴としている。
【００１１】
本発明の好ましい実施の形態においては、上記第１蛍光体から発せられる光のピーク波長が７００ｎｍ以下であり、上記第２蛍光体から発せられる光のピーク波長が５００ｎｍ以上である。
【００１２】
本発明の好ましい実施の形態においては、上記第１蛍光体から発せられる光のピーク波長が６４５ｎｍ以上である。
【００１３】
本発明の好ましい実施の形態においては、上記半導体発光素子の出力ピーク波長が４４５〜４６５ｎｍである。
【００１４】
本発明の好ましい実施の形態においては、上記第１蛍光体と上記第２蛍光体の配合比が、上記第１蛍光体を１としたときに上記第２蛍光体が５．０〜６．５である。
【００１５】
本発明の第３の側面によって提供される半導体発光装置は、出力ピーク波長が４４０〜４８５ｎｍである半導体発光素子と、上記半導体発光素子からの光を受けるように配置され、上記半導体発光素子からの光によって励起されることにより、ピーク波長が６２５ｎｍ以上である光を発する第１蛍光体およびピーク波長が５６５ｎｍ以下である光を発する第２蛍光体を含む蛍光体部を含み、上記第１蛍光体からの光および上記第２蛍光体からの光の互いのピーク波長の差が１２０ｎｍ以上である蛍光体部と、を備えることにより白色光を発することを特徴としている。
【００１６】
本発明の好ましい実施の形態においては、上記第１蛍光体から発せられる光のピーク波長が７００ｎｍ以下であり、上記第２蛍光体から発せられる光のピーク波長が５００ｎｍ以上である。
【００１７】
本発明の好ましい実施の形態においては、上記第１蛍光体と上記第２蛍光体の配合比が、上記第１蛍光体を１としたときに上記第２蛍光体が５．０〜７．５である。
【００１８】
本発明の好ましい実施の形態においては、上記半導体発光素子の出力ピーク波長が、４４５〜４６５ｎｍである。
【００１９】
本発明の第４の側面によって提供される半導体発光装置は、出力ピーク波長が４４０〜４８５ｎｍである半導体発光素子と、上記半導体発光素子からの光を受けるように配置され、上記半導体発光素子からの光によって励起されることにより、ピーク波長が６２５ｎｍ以上である光を発する第１蛍光体およびピーク波長が５６５ｎｍ以下である光を発する第２蛍光体を含む蛍光体部を含み、上記第１蛍光体と上記第２蛍光体の配合比が、上記第１蛍光体を１としたときに上記第２蛍光体が６．８〜７．２である蛍光体部と、を備えることにより白色光を発することを特徴としている。
【００２０】
本発明の好ましい実施の形態においては、上記第１蛍光体から発せられる光のピーク波長が６４５ｎｍ以上である。
【００２１】
本発明の好ましい実施の形態においては、上記第２蛍光体から発せられる光のピーク波長が５３０ｎｍ以下である。
【００２２】
本発明の第５の側面によって提供される半導体発光装置は、出力ピーク波長が４４０〜４８５ｎｍである半導体発光素子と、上記半導体発光素子からの光を受けるように配置され、上記半導体発光素子からの光によって励起されることにより、ピーク波長が６４０〜６７５ｎｍである光を発する第１蛍光体およびピーク波長が５００〜５３５ｎｍである光を発する第２蛍光体を含む蛍光体部とを含み、上記第１蛍光体と上記第２蛍光体の配合比が、上記第１蛍光体を１としたときに上記第２蛍光体が５．０〜７．５である蛍光体部を備えることにより白色光を発することを特徴としている。
【００２３】
本発明の好ましい実施の形態においては、上記半導体発光素子の出力ピーク波長が４４０〜４７０ｎｍであり、上記第１蛍光体から発せられる光のピーク波長が６４０〜６５５ｎｍであり、上記第２蛍光体から発せられる光のピーク波長が５２０〜５３０ｎｍであり、上記第１蛍光体と上記第２蛍光体の配合比が、上記第１蛍光体を１としたときに上記第２蛍光体が６．５〜７．５である。
【００２４】
本発明の好ましい実施の形態においては、上記半導体発光素子の出力ピーク波長が４４０〜４７０ｎｍであり、上記第１蛍光体から発せられる光のピーク波長が６４５〜６５５ｎｍであり、上記第１蛍光体と上記第２蛍光体の配合比が、上記第１蛍光体を１としたときに上記第２蛍光体が５．５〜７．５である。
【００２５】
本発明の好ましい実施の形態においては、上記半導体発光素子の出力ピーク波長が４４０〜４７０ｎｍであり、上記第２蛍光体から発せられる光のピーク波長が５２０〜５３０ｎｍであり、上記第１蛍光体と上記第２蛍光体の配合比が、上記第１蛍光体を１としたときに上記第２蛍光体が５．５〜７．５である。
【００２６】
本発明の好ましい実施の形態においては、上記半導体発光素子の出力ピーク波長が４４０〜４７０ｎｍであり、上記第１蛍光体から発せられる光のピーク波長が６４５〜６５５ｎｍであり、上記第２蛍光体から発せられる光のピーク波長が５２０〜５３０ｎｍである。
【００２７】
本発明の好ましい実施の形態においては、上記蛍光体部においては、上記第１および第２蛍光体が均一に分布している。
【００２８】
このような構成によれば、上記半導体発光装置から発せられる光のＲａ値を高めることが可能であり、上記半導体発光装置を演色性が重量視される用途に適切に用いることができる。
【００２９】
本発明のその他の特徴および利点は、添付図面を参照して以下に行う詳細な説明によって、より明らかとなろう。
【図面の簡単な説明】
【００３０】
【図１】本発明に係る半導体発光装置の一例を示す断面図である。
【図２】実施例を示す表であり、発光素子のピーク波長、赤色蛍光体および緑色蛍光体のピーク波長とＲａ値との関係を示す表である。
【図３】本発明に係る半導体発光装置の一例の発光スペクトルを示すグラフである。
【発明を実施するための形態】
【００３１】
以下、本発明の好ましい実施の形態につき、図面を参照して具体的に説明する。
【００３２】
図１は、本発明に係る半導体発光装置の一例を示している。本実施形態の半導体発光装置１００は、ＬＥＤチップ２００、蛍光部３００、リード４００、およびケース５００を備えている。
【００３３】
ＬＥＤチップ２００は、たとえばＧａＮ系半導体材料からなるｐ型半導体層、ｎ型半導体層、およびこれらに挟まれた活性層を有しており、青色光を発する。この青色光のピーク波長は、４４０〜４８５ｎｍであり、好ましくは、４４５〜４６０ｎｍである。ピーク波長が上記範囲外であると、後述する赤色蛍光体３１０と緑色蛍光体３２０との配合比（重量比）を工業上可能な範囲で変更しても、Ｒａ値がおおむね９０を下回ってしまう。ＬＥＤチップ２００は、２つのワイヤによってリード４００に接続される、いわゆる２ワイヤタイプとして構成されている。ＬＥＤチップ２００の具体的な構成としては、２ワイヤタイプに限定されず、１ワイヤタイプ、フリップチップタイプ、サブマウント基板を有するタイプなどであってもよい。
【００３４】
リード４００は、たとえばＣｕ、Ｆｅなどの金属からなり、ＬＥＤチップ２００を指示するとともに、ＬＥＤチップ２００に供給される電力の通電経路となっている。ケース５００は、たとえば白色樹脂からなり、ＬＥＤチップ２００を囲むようにリード４００上に形成されている。
【００３５】
蛍光部３００は、ケース５００に囲まれた空間に充てんされており、ＬＥＤチップ２００を覆っている。蛍光部３００は、透光樹脂３０１、赤色蛍光体３１０、および緑色蛍光体３２０からなる。透光樹脂３０１は、たとえば透明なエポキシ樹脂、またはシリコーン樹脂などである。
【００３６】
赤色蛍光体３１０は、本発明でいう第１蛍光体に相当し、ＬＥＤチップ２００からの青色光によって励起されることにより、赤色光を発する。赤色蛍光体３１０からの赤色光のピーク波長は、６２５ｎｍ以上であり、好ましくは６４５ｎｍ以上、さらに好ましくは、６５５〜７００ｎｍである。ピーク波長が上記範囲よりも短いとＲａ値を９０以上とすることが困難となり、ピーク波長が上記範囲よりも長いとそのようなピーク波長の光を発する蛍光体の入手が困難またはコスト高となる。赤色蛍光体３１０としては、たとえばＲＥｕＷ2Ｏ8（ＲはＬｉ，Ｎａ，Ｋ，Ｒｂ，Ｃｓのうちの少なくとも１種）、Ｍ2Ｓｉ5Ｎ8：Ｅｕ（ＭはＣａ，Ｓｒ，Ｂａのうちの少なくとも１種）、ＣａＳ：Ｅｕ、ＳｒＳ：Ｅｕが挙げられる。
【００３７】
緑色蛍光体３２０は、本発明でいう第２蛍光体に相当し、ＬＥＤチップ２００からの青色光によって励起されることにより、緑色光を発する。緑色蛍光体３２０からの緑色光のピーク波長は、５６５ｎｍ以下であり、好ましくは５３０ｎｍ以下、さらに好ましくは５００〜５２０ｎｍである。ピーク波長が上記範囲よりも短いと、そのようなピーク波長の光を発する蛍光体の入手が困難またはコスト高となり、ピーク波長が上記範囲よりも長いとＲａ値を９０以上とすることが困難となる。緑色蛍光体３２０としては、たとえばＢａＭｇＡｌ10Ｏ17：Ｅｕ、ＺｎＳ：Ｃｕ、ＭＧａ2Ｓ4：Ｅｕ（ＭはＣａ，Ｓｒ，Ｂａのうちの少なくとも１種）が挙げられる。
【００３８】
また、後述するＲａ値を高める効果をより好適に奏するには、赤色蛍光体３１０のピーク波長と緑色蛍光体３２０のピーク波長との差を１２０ｎｍ以上とすることが好ましい。ピーク波長の差が上記範囲よりも小さいと、Ｒａ値を９０以上とすることが困難となる。また、赤色蛍光体３１０と緑色蛍光体３２０との配合比（重量比）が、赤色蛍光体３１０を１としたときに緑色蛍光体３２０が５．０〜７．５（赤色蛍光体３１０からの光のピーク波長が６２５〜７００ｎｍ、かつ緑色蛍光体３２０からの光のピーク波長が５００ｎｍ以上５６５ｎｍ以下の場合）であることが好ましい。あるいは、上記配合比が、６．８〜７．２（赤色蛍光体３１０からの光のピーク波長が６２５ｎｍ以上、かつ緑色蛍光体３２０からの光のピーク波長が５６５ｎｍ以下の場合）が好ましい。上記配合比がこれらの範囲を外れると、半導体発光装置１００から発せられる白色光が黒体輻射の自然な白色光からずれて、赤みがかった色になったり緑がかった色になったりすることが懸念される。
【００３９】
本実施形態の蛍光部３００は、赤色蛍光体３１０と緑色蛍光体３２０とが均一に分布している。
【００４０】
ここで、半導体発光装置１００の製造方法について、説明する。まず、リード４００にたとえば金型成型を用いてケース５００を形成する。次いで、ＬＥＤチップ２００をリード４００に搭載する。そして、ケース５００によって囲まれた空間に、樹脂液体材料を注入する。この樹脂流体材料は、透光樹脂３０１の材料となるエポキシ樹脂流体材料またはシリコーン樹脂流体材料と、赤色蛍光体３１０、緑色蛍光体３２０とが均一に撹拌されたものである。樹脂流体材料を注入した後は、蛍光体が沈降する前にこの樹脂流体材料を硬化させることにより、蛍光部３００が得られる。これにより、上記樹脂流体材料の下部に蛍光体（赤色蛍光体３１０、緑色蛍光体３２０）が偏って分布してしまうことを回避することができる。特に、緑色蛍光体３２０が赤色蛍光体３１０よりも粒径が大きく、比較的沈降しやすい場合も、沈降前に硬化させて、蛍光部３００を得ることができる。
【００４１】
次に、半導体発光装置１００の作用について説明する。
【００４２】
図２は実施例１−１７を示す表である。図２は、ＬＥＤチップ２００からの光のピーク波長、赤色蛍光体３１０と緑色蛍光体３２０とのそれぞれのピーク波長を種々異ならせた場合の実施例における、Ｒａ値の計測結果を示している。いずれの実施例も、ＬＥＤチップ２００からの光のピーク波長は４４５〜４６５ｎｍである。同図に示すように、赤色蛍光体３１０のピーク波長Ｐ１が長くなるとＲａ値が高くなる傾向がみられる。また、緑色蛍光体３２０のピーク波長Ｐ２が短くなるとＲａ値が高くなる傾向がみられる。
【００４３】
演色性が重要視される用途においては、Ｒａ値が、すくなくとも８０以上であることが求められ、９０以上のものが好適であると評価されることが多い。この点、赤色蛍光体３１０のピーク波長が６５０ｎｍ、緑色蛍光体３２０のピーク波長が５２５ｎｍの実施例（実施例１、５〜７、９、１３、１７）においては、Ｒａ値が９０〜９７が得られる。特に、ＬＥＤチップのピーク波長が４５０〜４６０ｎｍの実施例１、１３、１７では、Ｒａ値は９５〜９７に達している。図３は、Ｒａ値が９６である実施例１における発光スペクトルである。本図から理解されるように、この実施例においては、ＬＥＤチップ２００のピーク波長に該当する４５５ｎｍ付近と、緑色蛍光体３２０のピーク波長に該当する５２５ｎｍ付近と、赤色蛍光体３１０のピーク波長に該当する６５０ｎｍ付近とに、ピークがみられる。このような、比較的広いピーク波長の分布によって高いＲａ値が達成されている。このように広い範囲にピークを存在させるには、赤色蛍光体３１０のピーク波長と緑色蛍光体３２０のピーク波長との差を１２０ｎｍ以上とすることが好ましい。
【００４４】
また、発明者らの研究により、赤色蛍光体３１０と緑色蛍光体３２０とが蛍光部３００において均一に分布していることが、Ｒａ値を高めるのに効果的であるという知見が得られた。図２において、Ｒａ値が８０程度である実施例の赤色蛍光体３１０および緑色蛍光体３２０のピーク波長を採用し、赤色蛍光体３１０と緑色蛍光体３２０とが不均一に分布する比較例を作成したところ、Ｒａ値が明確に低下してしまう現象が確認された。
【００４５】
本発明に係る半導体発光装置およびその製造方法は、上述した実施例に限定されるものではない。本発明に係る半導体発光装置およびその製造方法の具体的な構成は、種々に設計変更自在である。
【符号の説明】
【００４６】
１００  半導体発光装置
２００  ＬＥＤチップ（半導体発光素子）
３００  蛍光部
３０１  透光樹脂
３１０  赤色蛍光体（第１蛍光体）
３２０  緑色蛍光体（第２蛍光体）
４００  リード
５００  ケース
【図１】
2013004692.tif 000003
【図２】
2013004692.tif 000004
【図３】
2013004692.tif 000005